(57)【要約】  【課題】  ペーパーマガジンなどのユニットを機体内の所定位置に確実に押し込むことが出来ながら、しかも開閉扉を開けてユニットを機体の外に引き出す際などに、押込み用突起が機体の前方に突出することのない画像処理装置におけるユニットの押込み装置を提供する。  【解決手段】  ペーパーマガジンの格納室と、この格納室を開閉する開閉扉と、ペーパーマガジンを搭載するためのペーパーマガジン台を備え、前記格納室から前記開閉扉の前方に向けて前記ペーパーマガジン台を引き出し可能とするスライド装置とが機体に設けられた画像処理装置において、開閉扉の内面側には、ペーパーマガジンの押込み体が揺動可能に設けられると共に、この押込み体には、開閉扉の閉鎖時、押込み体を開閉扉に対してペーパーマガジンの押込み方向に起立させると共に、開閉扉の開放に伴い、押込み部材を開閉扉の内面に沿うように倒すための姿勢制御機構が設けられた。  【選択図】  図４
2006071881.tif 000002
【特許請求の範囲】
【請求項１】
ユニットの格納室と、この格納室を開閉する開閉扉と、前記格納室から前記開閉扉の前方に向けて前記ユニットを引き出し可能とするスライド装置とが機体に設けられた画像処理装置における前記ユニットの押込み装置であって、前記開閉扉の内面側には、ユニットの押込み体が揺動可能に設けられると共に、この押込み体には、開閉扉の閉鎖時、押込み体を開閉扉に対してユニットの押込み方向に起立させると共に、開閉扉の開放に伴い、押込み部材を開閉扉の内面に沿うように倒すための姿勢制御機構が設けられていることを特徴とする画像処理装置におけるユニットの押込み装置。
【請求項２】
ユニットがペーパーマガジンであることを特徴とする請求項１に記載の画像処理装置におけるユニットの押込み装置。
【発明の詳細な説明】
【技術分野】
【０００１】
本発明は、画像処理装置の機体内に搭載される例えばペーパーマガジンや露光装置などのユニットを所定位置に押し込むための押込み装置に関する。
【背景技術】
【０００２】
一般に画像処理装置は、画像を例えば印画紙に焼き付けるための露光装置と、露光装置で露光済の印画紙を現像処理するための現像処理装置とが機体に搭載され、現像済みフィルムなどの画像を露光装置により印画紙に焼き付けた後、この印画紙を現像処理装置で現像して、プリントを仕上げるようにしている。
【０００３】
また以上の画像処理装置では、機体内に例えばペーパーマガジンの格納室が設けられると共に、この格納室には、ペーパーマガジン台を備えたスライド装置が設置されており、ペーパーマガジンのメンテナンス等を行うに際しては、格納室の前部に揺動可能に設けた開閉扉を開放して、スライド装置を介してペーパーマガジン台をペーパーマガジンと共に格納室から機体の外部に引き出すようにしている。
【０００４】
そして以上の画像処理装置では、ペーパーマガジンの押し込み用突起が開閉扉の内面若しくはペーパーマガジン台の前面に固定されて、開閉扉の閉鎖に伴い、押し込み用突起の先端をペーパーマガジン台の前側面に当接させるか、若しくは開閉扉の内面に当接させて、この押し込み用突起を介してペーパーマガジンをペーパーマガジン台と共に格納室の奥に向けて強制的に押し込むようにしている。（特許文献１参照）
ところで以上の装置において、前記特許文献に開示されているように、押し込み用突起を開閉扉の内面に固定したりあるいはペーパーマガジン台の前面側に固定した場合には、例えば、開閉扉を開けてペーパーマガジン台を機体の外に引き出し、ペーパーマガジン台上のペーパーマガジンのメンテナンスを行なう際に、押し込み用突起が、格納室の前方に突出したり、あるいは引き出されたペーパーマガジン台の前方に突出して、メンテナンスの障害となる不具合があり、そのため、以上の画像処理装置では、例えば開閉扉の開閉角度を大きく設定するなどの必要があり、機体の設計の自由度がそれだけ狭まる不具合がある。
【特許文献１】特開２００１−８３６８１号公報
【発明の開示】
【発明が解決しようとする課題】
【０００５】
本発明は以上の実情に鑑みて開発したものであって、目的とするところは、ペーパーマガジンなどのユニットを機体内の所定位置に確実に押し込むことが出来ながら、しかも開閉扉を開けてユニットを機体の外に引き出す際などに、押込み用突起が機体前方に突出するようなことのない画像処理装置におけるユニットの押込み装置を提供することにある。
【課題を解決するための手段】
【０００６】
以上の目的を達成するために、請求項１に記載の発明は、ユニットの格納室と、この格納室を開閉する開閉扉と、前記格納室から前記開閉扉の前方に向けて前記ユニットを引き出し可能とするスライド装置とが機体に設けられた画像処理装置における前記ユニットの押込み装置であって、前記開閉扉の内面側には、ユニットの押込み体が揺動可能に設けられると共に、この押込み体には、開閉扉の閉鎖時、押込み体を開閉扉に対してユニットの押込み方向に起立させると共に、開閉扉の開放に伴い、押込み部材を開閉扉の内面に沿うように倒すための姿勢制御機構が設けられていることを特徴とするものである。
【０００７】
請求項２に記載の発明は、請求項１に記載のユニットがペーパーマガジンであることを特徴とするものである。
【発明の効果】
【０００８】
請求項１に記載の発明によれば、開閉扉の閉鎖時には、押込み体が姿勢制御機構を介して開閉扉に対して起立して、この押込み体により、ユニットを機体内の所定位置に確実に押し込むことが出来、しかも開閉扉を開けてユニットを機体の外に引き出す際などには、押込み体が姿勢制御機構を介して開閉扉の内面に沿って倒れるので、この押込み体がユニットのメンテナンス作業などに際して支障となることがない。
【０００９】
請求項２に記載の発明によれば、画像処理装置において特に頻繁にメンテナンスが行なわれるペーパーマガジンのメンテナンス作業性が、より一層向上する。
【発明を実施するための最良の形態】
【００１０】
図１は、本発明を適用する画像処理装置を概略的に示したものであってこの画像処理装置１は、プリント用紙の一例である印画紙Ｐへの画像の焼付処理を行うプリンター２と、画像の焼付けを終了した印画紙Ｐに対して現像などの処理を施すプロセッサー３とから構成されている。
【００１１】
プリンター２は、既知の通り、画像処理装置１の機体１０内に、ペーパーマガジン２１から引き出されてカッター装置２２により所定サイズに切断された印画紙Ｐを搬送する搬送装置２３と、この搬送装置２３により搬送される印画紙Ｐに画像を焼き付けるための露光装置２４が搭載されている。
【００１２】
露光装置２４は、デジタル露光方式を採用している。尚、デジタル露光の方式としては、ＰＬＺＴシャッター方式や蛍光ビーム方式、液晶シャッター方式等が知られており、仕様に応じて任意の方式を選択することが出来る。
【００１３】
プロセッサー３は、露光装置２４で露光済の印画紙を現像処理するための現像装置３１と、この現像装置３１で現像処理された印画紙Ｐを乾燥するための乾燥処理装置３２と、乾燥された印画紙Ｐを排出するためのプリント排出装置３３と、プリント排出装置３３から排出される印画紙Ｐを仕分け装置３５に搬出するためのベルトコンベヤ装置３４とが備えられている。
【００１４】
尚、図中、２５はハロゲンランプを内装したランプハウジング、２６はフィルムマスク、２７は画像処理装置の稼働状況等の画像を表示するためのモニターを示す。
【００１５】
以上の画像処理装置は、ランプハウジング２５内のハロゲンランプから放射される光が、フィルムマスク２６にセットしたフィルムを透過して、スキャナー（図示せず）に取り込まれ、画像の読取処理が行われると共にデジタル画像データに変換されて、コントローラ（図示せず）に送られる。そして、コントローラにより露光装置２４を制御して印画紙Ｐに画像を露光した後、この露光済の印画紙Ｐを搬送装置２３によりプロセッサー３に送り込むのであって、プロセッサー３では、露光済の印画紙Ｐを、先ず現像装置３１で現像処理した後、乾燥処理装置３２で乾燥し、出来上がったプリントをプリント排出装置３３からベルトコンベヤ装置３４に排出するのである。
【００１６】
また以上の画像処理装置では、プリンター２側の機体１内の下部に本発明に係るユニットの一例であるペーパーマガジン２１の格納室４が設けられると共に、この格納室４は機体１の前部側壁に設けられた開閉扉５により開閉可能としているのであって、実施形態では、開閉扉５は、その一側端部を機体１に支持軸５０を介して枢着して、その遊端側が水平方向に揺動可能としている。
【００１７】
また格納室４には、ペーパーマガジン２１を搭載するためのペーパーマガジン台４１を備え、このペーパーマガジン台４１を格納室４から開閉扉５の前方に向けて引き出し可能とするスライド装置４２が設置されている。
【００１８】
そして本発明にかかるユニットの押込み装置として、図に示す実施形態では、前述のペーパーマガジン台４１に搭載したペーパーマガジン２１をペーパーマガジン台４１と共に格納室４内の奥部に向けて押し込むための押込み装置６に適用したのであって、次にこの押込み装置６を詳説する。
【００１９】
この押込み装置６は、図３にも示すように、開閉扉５の内面にヒンジ金具６０を介して揺動可能に設けられて、ペーパーマガジン２１を格納室４の所定位置に押し込むための押込み体７と、開閉扉５の閉鎖時、押込み体７を開閉扉５に対してペーパーマガジン２１の押込み方向に起立させると共に、開閉扉５の開放に伴い、押込み体７を開閉扉５の内面に沿うように倒すための姿勢制御機構８とから構成されている。
【００２０】
押込み体７は、後記するヒンジ金具６０の揺動板６３にボルト止めするベース体７１と、このベース体７１に固定された筒体７２と、この筒体７２内に移動自由に挿嵌された移動体７３と、この移動体７３を筒体７２の先端外方（図４において上方向）に付勢させるコイルスプリング（図示せず）とから構成され、筒体７２の先端に貫通孔（図示せず）を設けて、常時は、コイルスプリングのバネ反力により、、移動体７３の先端部を貫通孔を介して筒体７２の先端部よりも外方に突出させるようにしている。
【００２１】
ヒンジ金具６０は、図３にも示すように、開閉扉５の内面に固定される固定板６１と、この固定板６１の一端部に枢軸６２を介して揺動可能に枢支した揺動板６３とが備えられ、この揺動板６３に押込み体７のベース体７１を組み付けている。
【００２２】
また固定板６１と揺動板６３との間には、揺動板６３を固定板６１に対して展開する方向、換言すれば、揺動板６３に組み付けた押込み体７を開閉扉５の内面に対して起立する方向に付勢させるためのコイルスプリング６４が介装され、揺動板６３の遊端部には、押込み体７が開閉扉５の内面に対して完全に起立した時点で、揺動板６３の展開方向へのそれ以上の揺動を阻止するための揺動規制片６５が設けられている。
【００２３】
一方、姿勢制御機構８は、リンク部材８１から構成され、このリンク部材８１の長さ方向一端部を機体１０に支持軸８０を介して水平方向に揺動自由に支持されているのであって、このリンク部材８１の機体１０に対する支持位置Ｓ２は、図４にも示すように、開閉扉５の機体１０に対する支持位置Ｓ１よりも機体１０の内方に所定間隔オフセットされている。
【００２４】
そして、このリンク部材８１の長さ方向他端部に設けた長孔８２には、ヒンジ金具６０の揺動板６３に立設した連結ピン６６が挿通されて、この連結ピン６６を介してリンク部材８１の長さ方向他端部が揺動板６３に連結されているのであって、これにより、開閉扉５の閉鎖時には、リンク部材８１を介して、コイルスプリング６４のばね力により、押込み体７を開閉扉５の内面に対して起立させると共に、開閉扉５の開放に伴い、リンク部材８１を介して押込み体７を組み付けたヒンジ金具６０の揺動板６３を図４において時計方向に順次揺動させて、押込み体７を開閉扉５の内面に沿って倒すようにしている。
【００２５】
斯くして以上の開閉扉５は、ヒンジ金具６０の枢軸６２が、図６において2点鎖線で示すように、開閉扉５の支持位置Ｓ１とリンク部材８１の支持位置Ｓ２とを結ぶラインＬの延長上よりも開閉扉５の閉鎖方向に位置しているときには、ヒンジ金具６０のコイルスプリング６４のばね力が押込み体７を開閉扉５の内面に対して起立させる方向に作用して、これにより、開閉扉５を閉鎖方向に揺動付勢させるのに対し、図６において実線で示すように、開閉扉５の支持位置Ｓ１とリンク部材８１の支持位置Ｓ２とを結ぶラインＬの延長上よりも開閉扉５の開放方向に移行した時点では、ヒンジ金具６０のコイルスプリング６４のばね力が開閉扉５を開放方向に揺動付勢させることになる。
【００２６】
また以上の開閉扉５は、図７において実線で示すように、その閉鎖位置近くまで来た時点で、押込み体７が開閉扉５の内面に対して完全に立ち上がって、揺動規制板６５が開閉扉５の内面に当接するのであって、また開閉扉５の図７において実線で示す位置から図７において２点鎖線で示す閉鎖位置までは、連結ピン６６が長孔８２に沿って移動して、開閉扉５の閉鎖位置への揺動が許容されることになる。
【００２７】
以上の構成から成るペーパーマガジンの押込み装置６が搭載された画像処理装置において、例えばペーパーマガジン２１を格納室４にセットするには、開閉扉５を開けて、ペーパーマガジン台４１を機体１０の外にスライド装置４２を介して引き出した上で、このペーパーマガジン台４１上にペーパーマガジン２１を載せるのである。
【００２８】
ところで、開閉扉５の開放に伴い、図５に示すように、ヒンジ金具６０の揺動板６３がリンク部材８１を介して図５において時計方向に揺動し、この揺動板６３に組み付けた押込み体７も開閉扉５の内面に向かって倒れるのである。
【００２９】
そして開閉扉５の開放に伴い、全開となる手前において、図６に示すように、ヒンジ金具６０の枢軸６２が、開閉扉５の支持位置Ｓ１とリンク部材８１の支持位置Ｓ２とを結ぶラインＬの延長上よりも開閉扉５の開放方向に移行した時点から、ヒンジ金具６０のコイルスプリング６４のばね力により、開閉扉５が開放方向に揺動付勢されるので、開閉扉５は開放位置で確実に保持されて、不用意に閉じる方向に揺動するようなことがないのである
また開閉扉５の開放に伴い、押し込み体７も開閉扉５の内面に沿うように倒れるので、マガジン台４１へのマガジン２１の搭載作業や、ペーパーマガジン台４１上のペーパーマガジン２１のメンテナンスなどを行う際には、押し込み体７が障害となることがなく、これらの作業がスムーズに行えるのである。
【００３０】
一方、機体１の外に引き出したペーパーマガジン台４１を格納室４内に格納するには、ペーパーマガジン２１と共にペーパーマガジン台４１をスライド装置４２を介して格納室４内に移動させ、しかる後、開閉扉５を閉鎖するのであって、この開閉扉５の閉鎖に伴い、リンク部材８１を介して、コイルスプリング６４のばね力により、押込み体７が揺動板６３と共に開閉扉５の内面に対して起立する方向に揺動するのである。
【００３１】
そして開閉扉５が、図７において実線で示すように、閉鎖位置近くまで来た時点で、押込み体７が開閉扉５の内面に対して完全に立ち上がり、以降、開閉扉５が図７において    ２点鎖線で示すように完全に閉鎖されるまで、ペーパーマガジン２１がペーパーマガジン台４１と共に押込み体７により機体１０内の奥側に向けて押し込まれ、開閉扉５が図４に示すように、完全に閉じられた時点で、ペーパーマガジン２１は、ペーパーマガジン台４１と共に格納室４内の所定位置に保持されるのである。
【００３２】
以上の実施形態では、押込み体７によりペーパーマガジン２１を押すようにしたが、これに限定されるものではなく、このペーパーマガジン２１を搭載するペーパーマガジン台４１を押すようにしてもよい。
【００３３】
また以上の実施形態では、
ペーパーマガジン２１を格納室４内の奥部に向けて押し込むための押込み装置６に適用したが、これに限定されるものではなく、
例えば露光装置２４や搬送装置２３をユニット化すると共に、これらユニットをスライド装置を介して格納室から開閉扉の前方に向けて引き出し可能とした画像処理装置では、露光装置２４や搬送装置２３のユニットを格納室４内の奥部に向けて押し込むための押込み装置６に適用してもよい。
【００３４】
また以上の実施形態では、現像処理機構を備えた画像処理装置に本発明の押込み装置を搭載したが、インクジェット式のプリンタを備えた画像処理装置に本発明の押込み装置適用してもよい。
【図面の簡単な説明】
【００３５】
【図１】本発明にかかるユニットの押込み装置を搭載した画像処理装置の概略斜視図。
【図２】同、構成図。
【図３】本発明にかかるユニットの押込み装置の要部を拡大して示す斜視図。
【図４】本発明にかかるユニットの押込み装置を平面的に見た説明図であって、開閉蓋が閉じられた状態を示している。
【図５】本発明にかかるユニットの押込み装置の作動説明図。
【図６】本発明にかかるユニットの押込み装置の作動説明図。
【図７】本発明にかかるユニットの押込み装置の作動説明図。
【符号の説明】
【００３６】
１    画像処理装置
２    プリンター
２１  ペーパーマガジン（ユニット）
３    プロセッサー
４    格納室
４１  マガジン台
４２  スライド装置
５    開閉扉
６    押込み装置
６０  ヒンジ金具
７    押込み体
８    姿勢制御機構
８１  リンク部材
【図１】
2006071881.tif 000003
【図２】
2006071881.tif 000004
【図３】
2006071881.tif 000005
【図４】
2006071881.tif 000006
【図５】
2006071881.tif 000007
【図６】
2006071881.tif 000008
【図７】
2006071881.tif 000009